【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
ゲート線、データ線、及びゲート線とデータ線に接続されている薄膜トランジスタを含む複数の画素を含み、映像データによって映像を表示する表示パネルと；
前記データ線に接続されており、正のデータ電圧と負のデータ電圧を印加するデータ駆動部と；
前記ゲート線に接続されるゲート駆動部と；
前記データ駆動部及び前記ゲート駆動部を制御する信号制御部と；を含み、
前記信号制御部は、前記映像データが動画を表示する場合には、動画の周波数で前記データ駆動部及び前記ゲート駆動部を駆動させ、前記映像データが静止画を表示する場合には、低周波数の静止画の周波数で前記データ駆動部及び前記ゲート駆動部を駆動させ、
前記信号制御部は、前記静止画を表示する場合に、前記映像データの代表値を基準として、前記薄膜トランジスタの漏洩電流について、前記正のデータ電圧が印加されるときの正の漏洩電流と、前記負のデータ電圧が印加されるときの負の漏洩電流とが互いに同一になるように制御する、表示装置。
【請求項２】
前記代表値は、１フレームの間に全ての前記画素に印加される映像データの平均階調値で、下記の数学式１を満たす、請求項１に記載の表示装置。
【数１】
2014215613.tif 000001
【請求項３】
前記代表値は、１フレームの間に当該ゲート線に接続された前記画素に印加される映像データの平均階調値で、下記の数学式１を満たす、請求項１に記載の表示装置。
【数２】
2014215613.tif 000002
【請求項４】
前記代表値は、各階調に対して加重値を付与した後、前記加重値と前記階調とをかけた値の平均値である、請求項１に記載の表示装置。
【請求項５】
前記加重値は、中間階調を中心に、中間階調より高い階調の側と、中間階調より低い階調の側とで、互いに対称の値を有する、請求項４に記載の表示装置。
【請求項６】
前記ゲート駆動部は、前記ゲート線に順次にゲートオン電圧を印加し、ゲートオン電圧が印加されない区間には第１ゲートオフ電圧及び第２ゲートオフ電圧のいずれか一つの電圧を印加する、請求項１に記載の表示装置。
【請求項７】
前記表示装置は、前記第１ゲートオフ電圧及び前記第２ゲートオフ電圧を生成するゲートオフ電圧生成部をさらに含み、
前記ゲートオフ電圧生成部は、前記第１ゲートオフ電圧を生成する第１部分と、前記第２ゲートオフ電圧を生成する第２部分とが区分されており、
前記第１部分及び前記第２部分は、電源電圧を抵抗で分圧して、それぞれ前記第１ゲートオフ電圧及び前記第２ゲートオフ電圧を生成し、
前記第１部分及び前記第２部分のうちの可変するゲートオフ電圧を出力する部分にはデジタル可変抵抗が含まれている、請求項６に記載の表示装置。
【請求項８】
前記第１ゲートオフ電圧は、前記正のデータ電圧が印加される画素と接続されている前記ゲート線に印加され、
前記第２ゲートオフ電圧は、前記負のデータ電圧が印加される画素と接続されている前記ゲート線に印加される、請求項６に記載の表示装置。
【請求項９】
前記第１ゲートオフ電圧は固定された電圧レベルを有し、
前記第２ゲートオフ電圧は前記代表値に基づいて変化する電圧レベルを有する、請求項８に記載の表示装置。
【請求項１０】
前記第１ゲートオフ電圧と共通電圧との間の電圧差である正のソース／ゲート間の電圧は、前記第２ゲートオフ電圧と前記負のデータ電圧との間の電圧差である負のソース／ゲート間の電圧と同じ値を有する、請求項９に記載の表示装置。
【請求項１１】
前記動画を表示するときに、前記正のソース／ゲート間の電圧と、前記負のソース／ゲート間の電圧とは、同じ値を有する、請求項１０に記載の表示装置。
【請求項１２】
前記第１ゲートオフ電圧が印加されるゲート線と、前記第２ゲートオフ電圧が印加されるゲート線とは、互いに隣接する、請求項８に記載の表示装置。
【請求項１３】
データ電圧が印加されないデータ維持区間で前記データ線に印加される電圧をキックバック電圧だけ低くする、請求項８に記載の表示装置。
【請求項１４】
前記表示パネルには共通電圧が印加され、
前記共通電圧は、前記動画の周波数及び前記静止画の周波数によって変化する値を有する、請求項１に記載の表示装置。
【請求項１５】
前記ゲート駆動部は、前記ゲート線に順次にゲートオン電圧を印加し、ゲートオン電圧が印加されない区間には第１ゲートオフ電圧及び第２ゲートオフ電圧のいずれか一つの電圧を印加する、請求項１４に記載の表示装置。
【請求項１６】
前記表示装置は、前記第１ゲートオフ電圧及び前記第２ゲートオフ電圧を生成するゲートオフ電圧生成部をさらに含み、
前記ゲートオフ電圧生成部は、前記第１ゲートオフ電圧を生成する第１部分と、前記第２ゲートオフ電圧を生成する第２部分とが区分されており、
前記第１部分及び前記第２部分は、電源電圧を抵抗で分圧して、それぞれ前記第１ゲートオフ電圧及び前記第２ゲートオフ電圧を生成し、
前記第１部分及び前記第２部分のうちの可変するゲートオフ電圧を出力する部分にはデジタル可変抵抗が含まれている、請求項１５に記載の表示装置。
【請求項１７】
前記第１ゲートオフ電圧は、前記正のデータ電圧が印加される画素と接続されている前記ゲート線に印加され、
前記第２ゲートオフ電圧は、前記負のデータ電圧が印加される画素と接続されている前記ゲート線に印加される、請求項１５に記載の表示装置。
【請求項１８】
前記第１ゲートオフ電圧は、前記共通電圧に基づいて変化する電圧レベルを有し、
前記第２ゲートオフ電圧は、前記代表値に基づいて変化する電圧レベルを有する、請求項１７に記載の表示装置。
【請求項１９】
前記第１ゲートオフ電圧と前記共通電圧との間の電圧差である正のソース／ゲート間の電圧は、前記第２ゲートオフ電圧と前記負のデータ電圧との間の電圧差である負のソース／ゲート間の電圧と同じ値を有する、請求項１８に記載の表示装置。
【請求項２０】
前記正のソース／ゲート間の電圧と、前記負のソース／ゲート間の電圧とは、前記動画を表示するときにも同じ値を有する、請求項１９に記載の表示装置。
【請求項２１】
前記第１ゲートオフ電圧と前記共通電圧との間の電圧差である正のソース／ゲート間の電圧が一定になるように変化する前記共通電圧によって前記第１ゲートオフ電圧が変化する、請求項１８に記載の表示装置。
【請求項２２】
前記正のソース／ゲート間の電圧は、前記動画の周波数のときと、前記静止画の周波数のときとで、互いに同一である、請求項２１に記載の表示装置。
【請求項２３】
前記第１ゲートオフ電圧が印加されるゲート線と、前記第２ゲートオフ電圧が印加されるゲート線とは、互いに隣接する、請求項１７に記載の表示装置。
【請求項２４】
データ電圧が印加されないデータ維持区間で前記データ線に印加される電圧をキックバック電圧だけ低くする、請求項１７に記載の表示装置。
【請求項２５】
データ電圧が印加されないデータ維持区間で前記データ線に印加される電圧をキックバック電圧だけ低くする、請求項１に記載の表示装置。
【請求項２６】
信号制御部が外部から入力データの印加を受ける段階と、
前記信号制御部は、前記入力データが動画であるか、または静止画であるかを区分する段階と、
前記入力データが静止画である場合には、前記信号制御部が、静止画の周波数で表示パネル、ゲート駆動部、及びデータ駆動部を駆動することで静止画を表示するようにし、動画である場合には、動画の周波数で前記表示パネル、前記ゲート駆動部、及び前記データ駆動部を駆動することで動画を表示するようにする段階と、を含み、
前記静止画を表示するときには、前記ゲート駆動部は前記ゲート線に順次にゲートオン電圧を印加し、前記ゲートオン電圧が印加されない区間には第１ゲートオフ電圧及び第２ゲートオフ電圧のいずれか一つの電圧を印加し、
前記第１ゲートオフ電圧は、前記正のデータ電圧が印加される画素と接続されている前記ゲート線に印加し、
前記第２ゲートオフ電圧は、前記負のデータ電圧が印加される画素と接続されている前記ゲート線に印加し、
前記第２ゲートオフ電圧は、前記入力データの代表値に基づいて変化する電圧レベルを有するようにする、表示装置の駆動方法。
【請求項２７】
前記信号制御部は、前記入力データが動画であるか、または静止画であるかを区分する段階では、外部からＰＳＲ信号の印加を受けて区分する、請求項２６に記載の表示装置の駆動方法。
【請求項２８】
前記代表値は、１フレームの間に全体の前記画素に印加される映像データの平均階調値で、下記の数学式１を満たす、請求項２６に記載の表示装置の駆動方法。
【数３】
2014215613.tif 000003
【請求項２９】
前記代表値は、１フレームの間に当該ゲート線に接続された前記画素に印加される映像データの平均階調値で、下記の数学式１を満たす、請求項２６に記載の表示装置の駆動方法。
【数４】
2014215613.tif 000004
【請求項３０】
前記代表値は、各階調に対して加重値を付与した後、前記加重値と前記階調とをかけた値の平均値である、請求項２６に記載の表示装置の駆動方法。
【請求項３１】
前記加重値は、中間階調を中心に、中間階調より高い階調の側と、中間階調より低い階調の側とで、互いに対称の値を有する、請求項３０に記載の表示装置の駆動方法。
【請求項３２】
前記第１ゲートオフ電圧は固定された電圧レベルを有し、
前記第２ゲートオフ電圧は前記代表値に基づいて変化する電圧レベルを有するようにする、請求項２６に記載の表示装置の駆動方法。
【請求項３３】
前記第１ゲートオフ電圧と共通電圧との間の電圧差である正のソース／ゲート間の電圧が、前記第２ゲートオフ電圧と前記負のデータ電圧間の電圧差である負のソース／ゲート間の電圧と、同じ値を有するようにする、請求項３２に記載の表示装置の駆動方法。
【請求項３４】
前記正のソース／ゲート間の電圧と、前記負のソース／ゲート間の電圧とが、前記動画を表示するときにも同じ値を有するようにする、請求項３３に記載の表示装置の駆動方法。
【請求項３５】
前記第１ゲートオフ電圧が印加されるゲート線と、前記第２ゲートオフ電圧が印加されるゲート線とは、互いに隣接する、請求項２６に記載の表示装置の駆動方法。
【請求項３６】
データ電圧が印加されないデータ維持区間で前記データ線に印加される電圧をキックバック電圧だけ低くする段階をさらに含む、請求項２６に記載の表示装置の駆動方法。
【請求項３７】
前記表示パネルには共通電圧が印加され、
前記共通電圧が、前記動画の周波数及び前記静止画の周波数によって変化する値を有するようにする、請求項２６に記載の表示装置の駆動方法。
【請求項３８】
前記第１ゲートオフ電圧と前記共通電圧との間の電圧差である正のソース／ゲート間の電圧が一定になるように変化する前記共通電圧によって前記第１ゲートオフ電圧が変化するようにする、請求項３７に記載の表示装置の駆動方法。